(57)【要約】【課題】本発明は、ハウジングとカバーの連接が安定した照明装置を提供する。【解決手段】本発明に係る照明装置は、ハウジングと、前記ハウジングに固定されるカバーと、前記ハウジング及び前記カバーの間に収容される光源と、前記ハウジング及び前記カバーを挟むクリップと、を備え、前記クリップの両端は、それぞれ前記ハウジング及びカバーを押圧し、前記クリップの中央には、前記ハウジングに向かって湾曲する連接部が形成される。【選択図】図１
2013187110.tif 000002
【特許請求の範囲】
【請求項１】
ハウジングと、前記ハウジングに固定されるカバーと、前記ハウジング及び前記カバーの間に収容される光源と、前記ハウジング及び前記カバーを挟むクリップと、を備える照明装置において、前記クリップの両端は、前記ハウジング及び前記カバーをそれぞれ押圧し、前記クリップの中央には、前記ハウジングに向かって湾曲する連接部が形成されることを特徴とする照明装置。
【請求項２】
前記クリップは、前記ハウジングを押圧する第一押圧部及び前記カバーを押圧する第二押圧部を備え、前記第一押圧部は、前記連接部の一端から下方へ折り曲げられて延伸し、前記第二押圧部は、前記連接部の他端から上方へ折り曲げられた後、下方へ折り曲げられることを特徴とする請求項１に記載の照明装置。
【請求項３】
前記ハウジングは、頂板及び前記頂板から下方へ延伸する側壁を備え、前記頂板には、前記クリップの第一押圧部を挿入するためのスロットが開設され、前記スロットと前記側壁との間には、前記第一押圧部を当接するためのリブが形成されることを特徴とする請求項２に記載の照明装置。
【請求項４】
前記カバーは、底板及び前記底板から上方へ延伸するフランジを備え、前記フランジと前記底板と、が係合する部分には、前記クリップの第二押圧部によって押圧されるためのくぼみが形成されることを特徴とする請求項２又は３に記載の照明装置。
【発明の詳細な説明】
【技術分野】
【０００１】
本発明は、照明装置に関し、特に照明ランプに関するものである。
【背景技術】
【０００２】
従来のランプは、一般的にハウジング、カバー、及び前記ハウジングとカバーとの間に収容される光源を備える。前記光源は、前記ハウジングに固定され且つ前記カバーを通して外界へ光を照射する。前記カバーは、一般的にネジによって前記ハウジングに固定される。しかし、ネジによって前記ハウジング及び前記カバーを固定する場合、スクリュードライバー等の工具を使用する必要があるため、その組立て方法は不便で、且つ時間を費やす。従って、現在、新しい固定方法が開発されている。前記新しい固定方法とは、従来のネジの代替としてクリップを利用し、そのクリップの弾力によって、ハウジングとカバーとを挟んで組立てる方法である。しかし、クリップの両端が前記ハウジングとカバーとを挟む際、クリップの応力が前記クリップの中央に集中する。そのため、クリップが中央から折れて前記カバーが前記ハウジングから外れる可能性がある。
【発明の概要】
【発明が解決しようとする課題】
【０００３】
前記課題を解決するために、本発明は、ハウジングとカバーとの連接が安定した照明装置を提供する。
【課題を解決するための手段】
【０００４】
本発明に係る照明装置は、ハウジングと、前記ハウジングに固定されるカバーと、前記ハウジング及び前記カバーの間に収容される光源と、前記ハウジング及び前記カバーを挟むクリップと、を備え、前記クリップの両端は、それぞれ前記ハウジング及びカバーを押圧し、前記クリップの中央には、前記ハウジングに向かって湾曲する連接部が形成される。
【発明の効果】
【０００５】
従来の技術と比べると、本発明に係る照明装置においては、クリップの中央に、ハウジングに向かって湾曲する連接部が形成されているので、クリップの両端がハウジング及びカバーを押圧することによって生じた応力を有効的に分散することができ、応力がクリップの中央に集中しない。従って、クリップが中央から折れることを有効に防止でき、前記ハウジングと前記カバーとの連接を安定化させることができる。
【図面の簡単な説明】
【０００６】
【図１】本発明の実施形態に係る照明装置の立体図である。
【図２】図１に示した本発明の実施形態に係る照明装置の反転図である。
【図３】図１に示した本発明の実施形態に係る照明装置の分解図である。
【図４】図２に示した本発明の実施形態に係る照明装置の反転させた時の分解図である。
【図５】図４に示した本発明の実施形態に係る照明装置のクリップの横から見た図である。
【発明を実施するための形態】
【０００７】
以下、図面を参照して、本発明の実施形態について説明する。
【０００８】
図１、図２及び図４を参照すると、本発明の実施例に係る照明装置は、ハウジング１０と、前記ハウジング１０の底部に固定されたカバー２０と、前記ハウジング１０及び前記カバー２０を固定する複数のクリップ３０と、前記ハウジング１０と前記カバー２０との間に収容される複数の光源４０と、を備える。
【０００９】
図３を併せて参照すると、前記ハウジング１０は、金属材料からなり、頂板１２及び前記頂板１２の周縁から垂直に下方へ延伸する側壁１４を備える。前記頂板１２の頂面には、垂直に上方へ延伸する複数の放熱柱１６が設けられる。また、前記頂板１２の頂面の両側には、ハウジング１０を支持構造（例えば、天井板）に固定させるための２つのＬ字状の支架１８が設けられ、これにより、前記照明装置を特定の方向へ向ける。
【００１０】
前記頂板１２の１つの支架１８に近い箇所には、ワイヤー５０をハウジング１０内に貫通させて、光源４０と電気接続させるためのコネクタ１７が設けられている。前記頂板１２の頂面の周縁に近い両側には、前記頂板１２に対して垂直に上方へ延伸する複数のリブ１２０が形成され、各々の前記リブ１２０の内側に近い箇所には、スロット１２２が開設される。各々の前記リブ１２０は、水平方向に延伸し、且つ前記頂板１２の側辺に平行する。前記頂板１２の同じ側に位置する各々の前記リブ１２０は、直線状に配置される。
【００１１】
また、各々のスロット１２２は、それぞれ対応するリブ１２０と前記放熱柱１６との間に位置し、前記頂板１２の同じ側に位置する各々の前記スロット１２２は、直線状に配置され且つ対応する前記リブ１２０に平行する。各々の前記スロット１２２の長さは、各々の前記リブ１２０の長さより長く、且つ各々の前記スロット１２２の深さは、各々の前記リブ１２０の高さより低い。
【００１２】
前記側壁１４の底部には、前記カバー２０を嵌合させるための環状溝１４０が形成され、また前記側壁１４は、前記頂板１２の底面に、前記頂板１２の辺縁を囲んで設置されており、これにより、前記光源４０を収容するための収容部（図示せず）が形成される。前記光源４０は、蛍光灯、ハロゲンランプ、白熱灯及び発光ダイオードのいずれか一種から選択される。ランプのサイズを小さくするために、本実施例においては、前記照明装置の光源４０は複数の発光ダイオードとする。
【００１３】
前記複数の発光ダイオードは、電気回路基板４２によって前記頂板１２の底面に固定され、前記電気回路基板４２は、前記複数の発光ダイオードが生成した熱を前記ハウジング１０の放熱柱１６に伝導して、前記放熱柱１６を介して外界に熱を放熱する。前記電気回路基板４２の一部には、前記発光ダイオードを囲む複数のリフレクター４４が設けられ、各々の前記リフレクター４４は、発光ダイオードから出射した光を所定の方向に沿って前記カバー２０の外部に反射することができる。また、頂板１２の底面の収容部のコネクタ１７に近い箇所には、電源モジュール６０が設けられ、前記電源モジュール６０は、ワイヤー５０を介して流れた電流を発光ダイオードの駆動電流の形に調整し、且つ前記電気回路基板４２を介して前記発光ダイオードに電流を流して、発光ダイオードを点灯させる。
【００１４】
前記カバー２０は、透光性を有する材料（例えば、ガラス或いはプラスチック）からなり、底板２２及び前記底板２２の周縁から垂直に上方へ延伸するフランジ２４を備える。前記底板２２の、前記電源モジュール６０に対応する箇所には、発光ダイオードが生成した熱を外部に放熱するための複数の放熱孔２２０が開設されている。前記フランジ２４と前記底板２２と、が係合する部分には、前記頂板１２のスロット１２２に対応する複数のくぼみ２４０が形成され、各々の前記くぼみ２４０の深さは、各々の前記スロット１２２の深さより深い。前記フランジ２４の端部が前記ハウジング１０の側壁１４の環状溝１４０に嵌合されることにより、前記カバー２０を前記ハウジング１０に設置する。前記カバー２０が前記ハウジング１０に組立てられる際、各々の前記くぼみ２４０は、対応する前記スロット１２２の直下に位置する。
【００１５】
図５を併せて参照すると、各々の前記クリップ３０は、金属片を曲げて作られる。各々の前記クリップ３０の上部は、下方へ折り曲げられて第一押圧部３２を形成し、各々の前記クリップ３０の下部は、上方へ折り曲げられた後下方へ折り曲げられてアーチ形の第二押圧部３４を形成し、各々の前記クリップ３０の中央は、ハウジング１０に向かって湾曲して連接部３６を形成する。前記クリップ３０の第一押圧部３２は、前記ハウジング１０のスロット１２２に挿入されて前記スロット１２２の底部を押圧し、前記第二押圧部３４は、前記カバー２０のくぼみ２４０の頂面を押圧する。これにより、前記ハウジング１０及び前記カバー２０は固定される。前記スロット１２２に近い箇所には前記リブ１２０が形成されているので、前記クリップ３０の第一押圧部３２は前記リブ１２０の内側面に当接され、前記クリップ３０が前記スロット１２２から脱落することを防止することができる。
【００１６】
前記クリップ３０の中央には、前記ハウジング１０に向かって湾曲する連接部３６が形成されるので、前記クリップ３０の第一押圧部３２及び第二押圧部３４が前記ハウジング１０及び前記カバー２０をそれぞれ押圧すると、前記クリップ３０の弾性変形による力は、前記連接部３６に有効に分散され、前記クリップ３０の中央に集中しない。従って、前記クリップ３０が中央から折れることを防止することができ、前記ハウジング１０と前記カバー２０との連接を安定化させることができる。
【符号の説明】
【００１７】
１０  ハウジング
１２  頂板
１２０  リブ
１２２  スロット
１４  側壁
１４０  環状溝
１６  放熱柱
１７  コネクタ
１８  支架
２０  カバー
２２  底板
２２０  放熱孔
２４  フランジ
２４０  くぼみ
３０  クリップ
３２  第一押圧部
３４  第二押圧部
３６  連接部
４０  光源
４２  電気回路基板
４４  リフレクター
５０  ワイヤー
６０  電源モジュール
【図１】
2013187110.tif 000003
【図２】
2013187110.tif 000004
【図３】
2013187110.tif 000005
【図４】
2013187110.tif 000006
【図５】
2013187110.tif 000007